(57)【要約】【課題】空気との接触を遮断して発熱を中断させ、寿命を延ばすことができる使い捨てカイロを提供する。【解決手段】偏平状袋内に空気の存在下で酸化発熱する発熱組成物が封入されており、該偏平状袋が気密性袋内に収納されてなるカイロ。前記気密性袋が、開閉自在のシール手段を有している。【選択図】　　　　図２
0003096832.tif 000002
【実用新案登録請求の範囲】
【請求項１】
偏平状袋内に空気の存在下で酸化発熱する発熱組成物が封入されており、該偏平状袋が気密性袋内に収納されてなるカイロであって、前記気密性袋が、開閉自在のシール手段を有してなることを特徴とする使い捨てカイロ。
【請求項２】
前記シール手段が、気密性袋の内面に形成された突条と、前記内面と対向する、前記気密性袋の他の内面に形成された、前記突条が嵌合しうる長溝とからなる請求項１記載の使い捨てカイロ。
【請求項３】
前記シール手段が、気密性袋の内面に形成された粘着剤層からなる請求項１記載の使い捨てカイロ。
【請求項４】
偏平状袋内に空気の存在下で酸化発熱する発熱組成物が封入されており、該偏平状袋が気密性袋内に収納されてなるカイロであって、前記気密性袋の外表面の外周部に粘着剤層が形成されており、該粘着剤層を覆う剥離層を有してなることを特徴とする使い捨てカイロ。
【請求項５】
偏平状袋内に空気の存在下で酸化発熱する発熱組成物が封入されており、該偏平状袋が気密性袋内に収納されてなるカイロであって、開閉自在のシール手段を備えた第２の気密性袋を有してなることを特徴とする使い捨てカイロ。
【請求項６】
前記シール手段が、気密性袋の内面に形成された突条と、前記内面と対向する、前記気密性袋の他の内面に形成された、前記突条が嵌合しうる長溝とからなる請求項５記載の使い捨てカイロ。
【請求項７】
偏平状袋内に空気の存在下で酸化発熱する発熱組成物が封入されており、該偏平状袋が気密性袋内に収納されてなるカイロであって、外周部に粘着剤層が形成された気密性フィルムをさらに有してなることを特徴とする使い捨てカイロ。
【考案の詳細な説明】
【０００１】
【考案の属する技術分野】
本考案は使い捨てカイロに関する。さらに詳しくは、空気の存在下で発熱するタイプのカイロであって、空気との接触を遮断して発熱を中断させ、寿命を延ばすことができる使い捨てカイロに関する。
【０００２】
【従来の技術】
従来より、空気の存在下で発熱する発熱組成物を通気性の収納袋（内袋）に収容し、この内袋を非通気性の袋（外袋）で包装した使い捨てカイロが知られている。かかるカイロとしては、手足や腰部を温めるもの以外に、足の裏、肩、臀部など身体の種々の部位を対象にしたものが提案されており、また所定の部位に貼りつけて当該部位を効果的に温めるために内袋の表面に粘着剤層を設けたものも提案されている。
【０００３】
このような使い捨てカイロは、外袋を開封して、内袋内の発熱組成物を空気と接触させることにより発熱が開始し、所定の時間温かい状態が維持される。
【０００４】
【考案が解決しようとする課題】
しかしながら、従来の使い捨てカイロは、いったん外袋を開封してしまうと、内袋は常時空気にさらされた状態にあるため、カイロが不要になっても内袋内の発熱組成物は空気中の酸素と反応し続けることになる。このため、カイロによる加熱を必要としないときにもカイロは発熱を続け、カイロが無駄に使われてしまうことがある。
【０００５】
本考案は、叙上の事情に鑑み、発熱を中断させて、必要なときのみ使用することができ、カイロの寿命を延ばすことができる使い捨てカイロを提供することを目的とする。
【０００６】
【課題を解決するための手段】
本考案の使い捨てカイロは、偏平状袋内に空気の存在下で酸化発熱する発熱組成物が封入されており、該偏平状袋が気密性袋内に収納されてなるカイロであって、前記気密性袋が、開閉自在のシール手段を有してなることを特徴としている。
【０００７】
また、偏平状袋内に空気の存在下で酸化発熱する発熱組成物が封入されており、該偏平状袋が気密性袋内に収納されてなるカイロであって、前記気密性袋の外表面の外周部に粘着剤層が形成されており、該粘着剤層を覆う剥離層を有してなることを特徴としている。
【０００８】
また、偏平状袋内に空気の存在下で酸化発熱する発熱組成物が封入されており、該偏平状袋が気密性袋内に収納されてなるカイロであって、開閉自在のシール手段を備えた第２の気密性袋を有してなることを特徴としている。
【０００９】
さらに、偏平状袋内に空気の存在下で酸化発熱する発熱組成物が封入されており、該偏平状袋が気密性袋内に収納されてなるカイロであって、外周部に粘着剤層が形成された気密性フィルムをさらに有してなることを特徴としている。
【００１０】
【考案の実施の形態】
以下、添付図面を参照しつつ、本考案の使い捨てカイロを詳細に説明する。
【００１１】
実施の形態１
図１は本考案の実施の形態１にかかわる使い捨てカイロの斜視説明図、図２は図１のＡ−Ａ線断面図である。なお、図２、ならびに後述する図４および図５においては、分かり易くするためにカイロの厚さ方向の寸法を誇張して描いている。
【００１２】
図１〜２において、１は通気小孔または微細孔群を有する偏平状の通気性内袋を示しており、該内袋１は、少なくともその一部が通気性面である。すなわち、その一方の面（図２において下側の面）が通気性面で、他方の面が非通気性面であってもよいし、また両面とも通気性面であってもよい。さらに、片面のうち、一部が通気性面で残りが非通気性面であってもよい。
【００１３】
内袋１の大きさは、本考案において、とくに限定されるものではなく、各種用途に応じて適宜選定すればよい。また、形状としては、矩形に限らず円形、楕円形、舌片形状、ハート型など他の形状を採用することもできる。
【００１４】
前記内袋１の通気性については、とくに限定はないが、通気孔の大きさは内容物がこぼれない程度であればよく、たとえば０．５ｍｍ以下程度であり、また通気量は、発熱性組成物が発熱し得る範囲であればよく、本考案においてとくに限定されるものではない。
【００１５】
前記内袋１の材質としては、とくに制限はないが、毛羽立たず、柔らかく、強度があり、品質が安定しており、ヒートシール性を有するものが好ましく、ポリウレタン、ポリプロピレンもしくはポリエチレンまたはそれらを改質したプラスチック質またはゴム質のような柔軟性の熱可塑性シートないしフィルムや、不織布、あるいはポリ塩化ビニル、ポリエステル、ポリスチレンの単層または複合層などを用いることができる。
【００１６】
内袋１の内部には空気の存在下で酸化発熱する発熱組成物２が封入されており、この内袋１が気密性の外袋３内に収納されている。
【００１７】
内袋１に封入する発熱組成物２としては、たとえば鉄粉などの金属粉、活性炭、水、保水剤（木粉、バーミキュライト、けい藻土、パーライト、シリカゲル、アルミナ、吸水性樹脂など）、食塩などからなるものを用いることができるが、これらに限定されるものではない。
【００１８】
外袋３は、ポリエチレン、ポリプロピレンなどの無孔フィルムからなっており、その一辺に平行にシール手段４を有している。本実施の形態において、シール手段４は、外袋３の内面に形成された突条４ｂと、この突条４ｂが形成された内面と対向する、外袋３の内面に形成された長溝４ａからなっている。前記突条４ｂは、先端部が若干膨らんでおり、前記長溝４ａ内に嵌合しうる寸法に設定されている。前記突条４ｂと長溝４ａを嵌合させることにより外袋３に気密性を付与することができる。
【００１９】
シール手段４としては、前述した突条４ｂと長溝４ａの組み合わせ以外にも、たとえば外袋３の内面に当該外袋３の一辺と平行に設けられた帯状の粘着剤層であってもよい。粘着剤層はゴムなどを主材とする通常の粘着性物質からなっている。
【００２０】
本実施の形態の使い捨てカイロを使用する場合、まず図２においてＣで示される部分をシール手段４に沿って切断し、ついでシール手段４を開放して内部に収納されている内袋１を取り出す。そうすると、通気性の内袋１を通って入ってきた酸素と発熱組成物２が反応を開始し、カイロは徐々に温かくなる。そして、カイロの使用を中断したいときは、内袋１を外袋３内に収納して、前記突条４ｂと長溝４ａを嵌合させることによって外袋３の開放されていた一辺をシールする。これにより、酸素との接触が遮断されるので内袋１内の発熱組成物２の反応は停止した状態になる。一方、カイロとして再使用したいときは、シール手段４を開放して内袋１を取り出すと、発熱組成物２と酸素との接触が再開され、カイロは温かくなる。
【００２１】
このように、所望の時間だけカイロとして使用することができるので、カイロを有効利用することができ、またカイロとしての寿命を延ばすこともできる。
【００２２】
実施の形態２
図３は本考案の実施の形態２にかかわる使い捨てカイロの斜視説明図、図４は図３のＢ−Ｂ線断面図である。図３〜４において、図１〜２と同一の参照符号は、図１〜２に示されるものと同じ要素を示しており、その説明は省略する。
【００２３】
本実施の形態では、外袋３の外表面の外周部に粘着剤層５が形成されており、この粘着剤層を覆うように、剥離紙または剥離フィルムからなる剥離層６が設けられている。粘着剤層５としては、前述した実施の形態１と同様のものを用いることができる。
【００２４】
本実施の形態の使い捨てカイロを使用する場合、外袋３を開封して内袋１を取り出すと、内袋１内の発熱組成物２が空気中の酸素と反応してカイロは徐々に温かくなる。そして、使用を中断したいときは、外袋３の外表面の剥離層６を剥がし、表面にあらわれた粘着剤層５で囲まれた部分に内袋２を配置する。この場合、内袋２を２つ折りにして配置するようにしてもよい。ついで、内袋２を包み込むように外袋３を折り曲げて、前記粘着剤層５同士を接着させる。これにより、内袋２は、周囲を粘着剤層５でシールされた外袋３内に収納されることになり、空気との接触が遮断されるので、発熱組成物２の反応は停止する。使用を再開したいときは、粘着剤層５同士の接着を剥がして、内袋１を取り出せばよい。
【００２５】
実施の形態３
本実施の形態は、前述した実施の形態１または２と異なり、内部に発熱組成物を含む内袋を外袋に収納したもの以外に、実施の形態１で述べた開閉自在のシール手段を備えた第２の気密性袋を外袋とは別に備えていることを特徴としている。この第２の気密性袋の材質は、前記外袋と同様であり、カイロの使用を中断したいときは、該第２の気密性袋のシール手段を開放して、この第２の気密性袋内に内袋を入れてシールをすることにより、発熱組成物の反応を停止させることができる。
【００２６】
実施の形態４
本実施の形態は、内部に発熱組成物を含む内袋を外袋に収納したもの以外に、図５に示されるような、外周部に粘着剤層５が形成された気密性フィルム７をさらに有している。前記粘着剤層５上には剥離紙または剥離フィルムからなる剥離層６が設けられている。前記気密性フィルム７は、内袋と一緒に外袋内に収納してもよいし、収納しなくてもよい。
【００２７】
本実施の形態の使い捨てカイロにおいて、その使用を中断したいときは、前記気密性フィルム７の剥離層６を剥がし、表面にあらわれた粘着剤層５で囲まれた部分に内袋２を配置する。この場合、内袋を２つ折りにして配置するようにしてもよい。ついで、内袋２を包み込むように気密性フィルム７を折り曲げて、前記粘着剤層５同士を接着させる。これにより、内袋２は、周囲を粘着剤層５でシールされた気密性フィルム７内に収納されることになり、空気との接触が遮断されるので、発熱組成物２の反応は停止する。使用を再開したいときは、粘着剤層５同士の接着を剥がして、内袋１を取り出せばよい。
【００２８】
なお、前述した実施の形態では設けられていないが、カイロの人体への装着を容易かつ簡便ならしめるために、内袋の一方の面に通常の粘着性物質からなる粘着剤層を設けるようにしてもよい。この粘着剤層は、内袋の片面全体に設けるようにしてもよいし、縞模様、格子模様、水玉模様などの適宜の模様を形成するように部分的に設けるようにしてもよい。
【００２９】
【考案の効果】
以上説明したとおり、本考案の使い捨てカイロによれば、シール手段または粘着剤層を用いて内袋内の発熱組成物と空気との接触を遮断することができるので、必要なときだけカイロを使用することができ、カイロの寿命を延ばすことができる。
【図面の簡単な説明】
【図１】本考案の実施の形態１にかかわる使い捨てカイロの斜視説明図である。
【図２】図１のＡ−Ａ線断面図である。
【図３】本考案の実施の形態２にかかわる使い捨てカイロの斜視説明図である。
【図４】図３のＢ−Ｂ線断面図である。
【図５】本考案の実施の形態４にかかわる使い捨てカイロにおける気密性フィルムの断面説明図である。
【符号の説明】
１　内袋
２　発熱組成物
３　外袋
４　シール手段
５　粘着剤層
６　剥離層
７　気密性フィルム
【図１】
0003096832.tif 000003
【図２】
0003096832.tif 000004
【図３】
0003096832.tif 000005
【図４】
0003096832.tif 000006
【図５】
0003096832.tif 000007
【手続補正書】
【提出日】平成15年5月9日(2003.5.9)
【手続補正１】
【補正対象書類名】明細書
【補正対象項目名】実用新案登録請求の範囲
【補正方法】変更
【補正の内容】
【実用新案登録請求の範囲】
【請求項１】
偏平状袋内に空気の存在下で酸化発熱する発熱組成物が封入されており、該偏平状袋が気密性袋内に収納されてなるカイロであって、前記気密性袋が、開閉自在のシール手段を有してなることを特徴とする使い捨てカイロ。
【請求項２】
前記シール手段が、気密性袋の内面に形成された突条と、前記内面と対向する、前記気密性袋の他の内面に形成された、前記突条が嵌合しうる長溝とからなる請求項１記載の使い捨てカイロ。
【請求項３】
前記シール手段が、気密性袋の内面に形成された粘着剤層からなる請求項１記載の使い捨てカイロ。
【請求項４】
前記シール手段が、気密性袋の外表面の外周部に形成された粘着剤層からなり、該粘着剤層を覆う剥離層をさらに有してなる請求項１記載の使い捨てカイロ。
【請求項５】
偏平状袋内に空気の存在下で酸化発熱する発熱組成物が封入されており、該偏平状袋が気密性袋内に収納されてなるカイロであって、開閉自在のシール手段を備えた第２の気密性袋を有してなることを特徴とする使い捨てカイロ。
【請求項６】
前記シール手段が、気密性袋の内面に形成された突条と、前記内面と対向する、前記気密性袋の他の内面に形成された、前記突条が嵌合しうる長溝とからなる請求項５記載の使い捨てカイロ。
【手続補正２】
【補正対象書類名】明細書
【補正対象項目名】０００７
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】実施の形態１
図１は本考案の実施の形態１にかかわる使い捨てカイロの斜視説明図、図２は図１のＡ−Ａ線断面図である。なお、図２、ならびに後述する図４においては、分かり易くするためにカイロの厚さ方向の寸法を誇張して描いている。


【手続補正５】
【補正対象書類名】明細書
【補正対象項目名】００１８
【補正方法】変更
【補正の内容】
【００１８】
外袋３は、ポリエチレン、ポリプロピレンなどの無孔フィルムからなっており、その一辺に平行にシール手段４を有している。本実施の形態において、シール手段４は、外袋３の内面に形成された突条４ａと、この突条４ａが形成された内面と対向する、外袋３の内面に形成された長溝４ｂからなっている。前記突条４ａは、先端部が若干膨らんでおり、前記長溝４ｂ内に嵌合しうる寸法に設定されている。前記突条４ａと長溝４ｂを嵌合させることにより外袋３に気密性を付与することができる。


【手続補正６】
【補正対象書類名】明細書
【補正対象項目名】００１９
【補正方法】変更
【補正の内容】
【００１９】
シール手段４としては、前述した突条４ａと長溝４ｂの組み合わせ以外にも、たとえば外袋３の内面に当該外袋３の一辺と平行に設けられた帯状の粘着剤層であってもよい。粘着剤層はゴムなどを主材とする通常の粘着性物質からなっている。


【手続補正７】
【補正対象書類名】明細書
【補正対象項目名】００２０
【補正方法】変更
【補正の内容】
【００２０】
本実施の形態の使い捨てカイロを使用する場合、まず図２においてＣで示される部分をシール手段４に沿って切断し、ついでシール手段４を開放して内部に収納されている内袋１を取り出す。そうすると、通気性の内袋１を通って入ってきた酸素と発熱組成物２が反応を開始し、カイロは徐々に温かくなる。そして、カイロの使用を中断したいときは、内袋１を外袋３内に収納して、前記突条４ａと長溝４ｂを嵌合させることによって外袋３の開放されていた一辺をシールする。これにより、酸素との接触が遮断されるので内袋１内の発熱組成物２の反応は停止した状態になる。一方、カイロとして再使用したいときは、シール手段４を開放して内袋１を取り出すと、発熱組成物２と酸素との接触が再開され、カイロは温かくなる。


【手続補正８】
【補正対象書類名】明細書
【補正対象項目名】００２３
【補正方法】変更
【補正の内容】
【００２３】
本実施の形態におけるシール手段としては、外袋３の外表面の外周部に粘着剤層５が形成されており、この粘着剤層を覆うように、剥離紙または剥離フィルムからなる剥離層６が設けられている。粘着剤層５としては、前述した実施の形態１と同様のものを用いることができる。


【手続補正９】
【補正対象書類名】明細書
【補正対象項目名】００２６
【補正方法】削除
【補正の内容】
【手続補正１０】
【補正対象書類名】明細書
【補正対象項目名】００２７
【補正方法】削除
【補正の内容】
【手続補正１１】
【補正対象書類名】明細書
【補正対象項目名】図面の簡単な説明
【補正方法】変更
【補正の内容】
【図面の簡単な説明】
【図１】本考案の実施の形態１にかかわる使い捨てカイロの斜視説明図である。
【図２】図１のＡ−Ａ線断面図である。
【図３】本考案の実施の形態２にかかわる使い捨てカイロの斜視説明図である。
【図４】図３のＢ−Ｂ線断面図である。
【符号の説明】
１　内袋
２　発熱組成物
３　外袋
４　シール手段
５　粘着剤層
６　剥離層


【手続補正１２】
【補正対象書類名】図面
【補正対象項目名】図５
【補正方法】削除
【補正の内容】